(57)【特許請求の範囲】
【請求項１】
講義データベースに格納された講義データをマイクロブログへの投稿情報として配信するホストシステムと、このホストシステムから講義データの配信通知を受信し、利用者の操作に応じて前記マイクロブログに投稿された講義データを受信して表示出力または再生出力する複数の移動情報端末とから成る講義配信システムであって、
前記ホストシステムは、予め設定されたタイムスケジュールに応じて講義データベースから前記マイクロブログへの配信の対象となる講義データを読み出す検索手段と、読み出した講義データから前記マイクロブログへの投稿記事を生成し、前記マイクロブログへと配信する配信手段と、利用者側の前記マイクロブログへのアカウントに対して新規講義の配信通知を行なう通知手段を備え、
前記各移動情報端末は、前記ホストシステムから送信された配信通知を受信する受信手段と、受信した通知内容から前記マイクロブログへと接続する接続手段と、前記マイクロブログ上の講義データを読み出して移動情報端末内に保存する記憶手段と、講義データの説明文及び映像データを可視化して表示する表示手段と、講義データ中の音声を再生する再生手段とを備えることを特徴とする講義配信システム。
【請求項２】
講義データベースに格納された講義データをマイクロブログへの投稿情報として配信するホストシステムと、このホストシステムから講義データの配信通知を受信し、利用者の操作に応じて前記マイクロブログに投稿された講義データを受信して表示出力または再生出力する複数の移動情報端末とから成る講義配信システムにおける講義配信方法であって、
前記ホストシステムが、予め設定されたタイムスケジュールに応じて前記講義データベースから前記マイクロブログへの配信の対象となる講義データを読み出すステップと、読み出した講義データから前記マイクロブログへの投稿記事を生成し、前記マイクロブログへと配信するステップと、利用者側の前記マイクロブログへのアカウントに対して新規講義の配信通知を行なうステップとを備え、
前記各移動情報端末が、前記ホストシステムから送信された配信通知を受信するステップと、受信した通知内容から前記マイクロブログへと接続するステップと、前記マイクロブログ上の講義データを読み出して移動情報端末内に保存するステップと、講義データの説明文及び映像データを可視化して表示するステップと、講義データ中の音声を再生するステップとを備えることを特徴とする講義配信方法。
【発明の詳細な説明】
【技術分野】
【０００１】
本発明は、移動型の端末装置に対して資格試験などに向けた学習に関する講義情報をホストシステムからマイクロブログに投稿・公開する形式で配信する講義配信システムおよび方法に関するものである。
【背景技術】
【０００２】
インターネット回線や端末性能の向上・小型化に伴い、インターネットへのアクセス、及びネットワーク上からの動画や音声ファイルのダウンロードや閲覧が高速、かつ手軽なものになってきている。
このような中、語学や情報処理などの資格試験の学習手段については、講義への参画等による対人の受講、または参考書やＣＤ−ＲＯＭやＤＶＤメディア等の記憶媒体やインターネットを通じて配布されている学習用コンテンツを利用した自習が中心であり、利用者（学習者）は学習手段を選択・採用した後、学習中は継続した応答操作（設問に対する回答選択・入力、講義の長時間の視聴）が必要とされている。
【０００３】
なお、本発明に関連する公知技術文献としては下記の特許文献１〜２がある。
【先行技術文献】
【特許文献】
【０００４】
【特許文献１】特許公開２００６−１８２０８
【特許文献２】特許公開２００７−２５４２５
【特許文献３】特許公開２００８−２８８２３
【発明の概要】
【発明が解決しようとする課題】
【０００５】
参考書や各種媒体によって配布されるコンテンツ利用型の学習方法は、一問一答やマークシートなどの選択形式や、テキスト入力の記述形式といった必ず設問に対する解答の応答要求があり、学習者は応答しない限り学習が進行しない。
また、対人の講義の場合、講義日程として（講師と受講者のスケジュール調整）が必須であり、受講者の学習機会は時間と場所で制限されてしまう。インターネットのＷｅｂサイト上で講義配信を実施している場合もあるが、配信される講義データは現実の講義情報の録画映像であり、１講義の視聴完了までに講義利用者の拘束時間が長く、また利用者が講義情報の一部をピンポイントで学習したい場合に講義の進行度の調整が必要となり手間である。また、新規講義の配信にあたって利用者への通知・連絡には、講義を配信しているＷｅｂサイト上での告知の確認など、講義利用者側からの能動的な情報収集活動が必要であり、これを解消する為にはダイレクトメールや電子メール送付といった講義配信とは別の連絡手段又はインフラが必要となり設備投資においてもコストがかかる。
【０００６】
本発明の目的は、資格試験などの学習形態として学習の時間と場所に関する制約を極小化したうえ、利用者の受講中の応答操作が不要で移動端末内で繰り返し受講できる講義配信システムを提供することにある。
【課題を解決するための手段】
【０００７】
上記目的を達成するために、本発明に係る講義配信システムは、講義データベースに格納された講義データをマイクロブログへの投稿情報として配信するホストシステムと、このホストシステムから講義データの配信通知を受信し、利用者の操作に応じて前記マイクロブログに投稿された講義データを受信して表示出力または再生出力する複数の移動情報端末とから成る講義配信システムであって、
前記ホストシステムは、予め設定されたタイムスケジュールに応じて講義データベースから前記マイクロブログへの配信の対象となる講義データを読み出す検索手段と、読み出した講義データから前記マイクロブログへの投稿記事を生成し、前記マイクロブログへと配信する配信手段と、利用者側の前記マイクロブログへのアカウントに対して新規講義の配信通知を行なう通知手段を備え、
前記各移動情報端末は、前記ホストシステムから送信された配信通知を受信する受信手段と、受信した通知内容から前記マイクロブログへと接続する接続手段と、前記マイクロブログ上の講義データを読み出して移動情報端末内に保存する記憶手段と、講義データの説明文及び映像データを可視化して表示する表示手段と、講義データ中の音声を再生する再生手段とを備えることを特徴とする。
本発明に係る講義配信方法は、講義データベースに格納された講義データをマイクロブログへの投稿情報として配信するホストシステムと、このホストシステムから講義データの配信通知を受信し、利用者の操作に応じて前記マイクロブログに投稿された講義データを受信して表示出力または再生出力する複数の移動情報端末とから成る講義配信システムにおける講義配信方法であって、
前記ホストシステムが、予め設定されたタイムスケジュールに応じて前記講義データベースから前記マイクロブログへの配信の対象となる講義データを読み出すステップと、読み出した講義データから前記マイクロブログへの投稿記事を生成し、前記マイクロブログへと配信するステップと、利用者側の前記マイクロブログへのアカウントに対して新規講義の配信通知を行なうステップとを備え、
前記各移動情報端末が、前記ホストシステムから送信された配信通知を受信するステップと、受信した通知内容から前記マイクロブログへと接続するステップと、前記マイクロブログ上の講義データを読み出して移動情報端末内に保存するステップと、講義データの説明文及び映像データを可視化して表示するステップと、講義データ中の音声を再生するステップとを備えることを特徴とする。
【発明の効果】
【０００８】
本発明のマイクロブログを用いた講義配信システムによれば、次のような効果がある。
（１）講義情報は用語説明や一問一答の解説を主とした簡易説明文と、説明文に相当又は内容を補足する映像又は音声のデータで構成する為、講義開始後は利用者の講義に対して手作業や口頭による応答操作（回答選択、質疑応答）を行うことなく学習が可能である。
（２）ホストシステムと移動端末との間を無線回線によって接続しているため、無線回線の有効範囲内で資格試験の学習に必要な講義情報を屋内・屋外における場所と時間の制約を受けることなく得る事ができる。
（３）講義情報をマイクロブログへの投稿としてホストシステムから配信する為、移動端末はホストシステムと移動端末間の接続及び同期処理について回線の混雑状況を考慮することなく、講義を受ける事ができる。
（４）講義情報はデータとして移動端末上の外部記憶装置に保存される為、同一講義の再受講にあたって無線回線への再接続を行なうことなく再受講する事ができる。
（５）新規講義の配信にあたって、マイクロブログのアカウントを利用した通知を行なう為、配信側は告知のためのＷｅｂサイトの構築や、電子メールなどの連絡手段についてマイクロブログ以外のインフラ設備へ投資をせずに配信通知を行うことが出来る。
すなわち、マルチキャスト型の講義配信システムでは、受講者は学習中に配信サーバへの常時接続と受信が必要となっている。本発明のシステムでは配信側と受信側で配信に必要な手続き（配信側が公開しているマイクロブログに対する利用者側のアクセス承認）を予め実施することにより、利用者の移動端末に向けた新規講義情報の配信通知を通じて一定期間の間に複数の講義データで構成される講義情報を順次投稿する。一度閲覧および視聴した講義情報は受信者の移動端末内で繰り返し視聴が可能であり、再視聴などの際にはデータを再受信する必要が無く、又新規講義情報の投稿タイミングはホストシステム側で調整可能な為、システムの利用者増加による負荷は配信側で調整が可能となる。
【図面の簡単な説明】
【０００９】
【図１】本発明の一実施の形態例を示すシステム構成図である。
【図２】講義データベースに格納されている講義データの構成図である。
【図３】移動端末の内部構成図である。
【図４】ホストシステムで生成する配信通知のデータ構成図である。
【図５】ホストシステムの講義配信処理の概要を示すフローチャートである。
【図６】利用者データベースに格納されている利用者データの構成図である。
【図７】移動端末の処理を示すフローチャートである。
【図８】移動端末の配信通知一覧の表示例を示す構成図である。
【図９】移動端末に保存した講義情報一覧の表示例を示す構成図である。
【図１０】マイクロブログ上の講義情報の表示例を示す構成図である。
【発明を実施するための形態】
【００１０】
以下、本発明を適用した講義配信システムの一実施の形態について説明する。
図１は、本発明の実施の形態の一例を示すシステム構成図であり、本講義配信システムは、講義データベース１を備えたホストシステム２と、このホストシステム２から配信されたマイクロブログ１１上の講義情報へとアクセスする複数の移動端末３ａ，３ｂ，３ｎとから構成され、この移動端末３ａ，３ｂ，３ｎは無線回線によって基地局４と接続されている。そして基地局４は有線の公衆回線網によるネットワーク５と接続され、このネットワーク５にホストシステム２が接続されている。
従って、移動端末３ａ，３ｂ，３ｎとホストシステム２とは、基地局４に到る無線回線およびネットワーク５を通じてホストシステム２に接続されていることになる。
基地局４は、移動端末３ａ，３ｂ，３ｎの無線送受信手段として、例えば携帯電話を利用した場合は、移動電話事業者の基地局に相当する。
【００１１】
ホストシステム２には、講義データベース１の他に、利用者データベース６が設けられている。
ホストシステム２の講義データベース１には、例えば情報処理資格試験に関する用語や一問一答の解答の解説を簡易説明文として表現した文字列データと、映像又は音声を収録・録音したデータ、講義データ毎の配信先となるマイクロブログ１１の接続先情報が登録されている。
【００１２】
ここで、マイクロブログとは、ブログの一種であり、ミニブログあるいはつぶやきブログと呼ばれることがある。利用者は主に自身の状況や雑記などを短い文章（１行、１５０字程度）でサービスを提供しているウェブサイトへ投稿する。ミニブログ内の利用者間でコミュニケーションがとれるようになっている。投稿内容がテキストであるため、更新が容易で結果的にほぼリアルタイムなコミュニケーションが行われることが多い。そのため、利用者はチャットをしているかのような体験が得られる。画像や動画、ウェブサイトのＵＲＬを投稿できるものもある。ミニブログの多くはパーソナルコンピュータだけでなく、携帯電話装置（あるいはＰＤＡ）などの情報端末から利用することができる。
【００１３】
一方、利用者データベース６には、利用者のマイクロブログにおけるアカウント情報と、利用者が学習を希望する講義データを特定するキー情報と、学習を希望する期間の情報がセットで登録されている。
また、ホストシステム２は、講義データベース１や利用者データベース６の更新処理を行なうＤＢ更新部７、予め定められた時間間隔で講義データベースや利用者データベースへの検索処理を行う検索処理部８、検索結果として読み出した配信対象の利用者のアカウント情報と配信対象の講義データに基づいてマイクロブログ１１への講義の配信内容として投稿記事を生成する生成部９、マイクロブログ１１に向けた講義の配信と配信対象の利用者のアカウントに対して新規講義の配信通知を行う配信部１０を備えている。
【００１４】
講義データベース２に格納される講義データは、図２に示すように講義名２１、用語／設問区分２２、講義回番号２３、解説題名２４、説明文２５、登録／更新年月日２６、データ（映像または音声データ）２７の各エリアデータから構成され、このうち、講義名２１、用語／設問区分２２、講義回番号２３が講義識別情報２８を構成し、これによって講義データを一意に特定してデータの登録・更新・検索ができるようになっている。
ここで例えば、講義データの一部を更新した場合、図２に示すように、講義名２１として「情報セキュリティスペシャリスト試験」、用語／設問区分２２として「用語解説」、講義回番号２３として「００１」、解説題名２４として「共有鍵の解説」、説明文２５として「暗号化に用いる鍵と同値を復号鍵として用いる暗号化方式」、登録／更新年月日２６として「２０１１年２月２３日」、データ２７として「説明文２３に相当する、又は内容について補足する映像又は音声によるデータ」が登録される。
なお、同一講義識別情報に関する講義データが登録される場合は、登録／更新年月日２６に登録される日付が新しい講義データを残し、古いデータと判断された講義データを破棄する。
【００１５】
利用者データベース６に格納される利用者データは、図６に示すように利用者名６１、利用者のマイクロブログアカウント６２、希望する講義名６３、希望する用語／設問区分６４、次回講義回番号６５、利用期間６６、登録／更新年月日６７から構成され、このうち利用者名６１と利用者のマイクロブログアカウント６２が利用者識別情報６８を構成し、これによって利用者データを一意に特定してデータの登録・更新・検索ができるようになっている。
利用者データの一部を更新した場合、図６に示すように、利用者名６１として「日立□太郎」、利用者のマイクロブログアカウントとして「Account-hitachi」、希望する講義名６３として「情報セキュリティスペシャリスト試験」、希望する用語／設問区分６４として「用語解説」、次回講義回番号６５として「００１」、利用期間６６として「２００８年１月１日〜２０１２年１２月３１日」、登録／更新年月日６７として「２０１１年３月３１日」が登録される。
【００１６】
図３は、移動端末３ａ，３ｂ，３ｎの構成を示した図である。
すなわち、ホストシステム２から受信した新規講義配信の通知を受信する受信部３１、受信部３１が受信した通知内容に基づいてマイクロブログ１１へ接続して、講義データを読み出す外部記憶装置３２、講義データ中の説明文２５と、データ２７が映像データの場合に表示する表示部３３、音声データの場合に再生する再生部３４、配信通知の有無確認や講義データの表示・再生の実行指示を入力する入力部３５、入力部３５からの入力内容を判別して講義データの表示・再生要求や配信通知の受信処理等を行なうデータ処理部３６から構成されている。
ここでデータ処理部３６は、入力部３５から講義データの視聴指示を入力された場合に外部記憶装置３２から、読み出した講義データ中の説明文と映像データを持つ場合に表示部３３で表示させる表示処理部３６１と、音声データの場合に再生部３４で再生する再生処理部３６２を備えている。
【００１７】
図４はホストシステム２が作成する配信通知に付与されるデータの例を示した図である。
ホストシステム２は、図４に示すように、通知先マイクロブログアカウント４１、通知件名４２、講義の接続先ＵＲＬ４３を含む通知データを作成してネットワーク５及びマイクロブログ１１を経由して利用者の移動端末３ａ，３ｂ，３ｎに対して送信する。
ここで、通知件名４２は、配信通知の受信側が件名から配信された講義の内容を判別できるようにする為、講義データベース１における講義名２１、解説題名２４の内容を表現する文字列を連結して作成される。また、講義の接続先ＵＲＬ４３はホストシステム２が配信対象の講義情報を投稿したマイクロブログ１１上のＵＲＬである。
利用者は移動端末３ａ〜３ｎ上の表示部３３に表示された通知件名４２の確認と講義の接続先ＵＲＬ４３の選択によるマイクロブログへ１１の接続操作のみで配信通知の確認と配信された講義の受講が開始できるものとする。
【００１８】
以下、以上のように構成された講義配信システムの動作を説明する。
図５は、ホストシステム２の講義データ配信処理の概要を示すフローチャートである。
ホストシステム２は、まずタイマー機能等により予め設定された日程間隔又は特定時刻に達しているか判定し（ステップ５０１）、達していなければ配信待ち状態で待機する。
講義配信を行なう日時に達した場合、利用者データベース６を検索し（ステップ５０２）、講義配信にあたって配信通知が必要な利用者の有無を判定し、更に配信を希望している講義情報を判定する（ステップ５０３）。
この場合、利用者データベース６の各利用者データにおける利用期間６６に登録されている年月日の範囲にホストシステム２の現在時刻が収まっているかで利用者の有無を判定し、対象となった利用者データにおける希望する講義名６３と希望する用語／設問区分６４と次回講義回数番号６５から配信対象とする講義情報として取得する。
次に、取得した希望する講義名６３と希望する用語／設問区分６４と次回講義回数番号６５を検索キーとして講義データベース１から検索キーが講義識別情報２８と一致する講義データを取得する（ステップ５０４）。
取得した講義データ毎に配信対象の利用者データを整理し、講義データ中の解説題名２４と説明文２５を投稿記事、映像又は音声データを添付データとしてマイクロブログ１１への投稿を行なう（ステップ５０５）。更に利用者のマイクロブログアカウント６２に対して、マイクロブログを通じて投稿した講義情報に対するアクセス許可設定と各利用者の移動端末３ａ〜３ｎへの新規講義の配信通知を送信する（ステップ５０６）。
【００１９】
ホストシステム２は、以上の処理を一定の時間間隔又は特定時刻に達する度に実行する。
図７は移動端末３ａ，３ｂ，３ｎにおける処理の概要を示すフローチャートであり、データ処理部３６は電源投入によって初期化処理を行い、さらに利用者からの入力を受け付けるためのコマンドメニューを表示する（ステップ７０１）。
次に、コマンドメニューによって選択された内容が「配信通知確認」か、「講義データの視聴」のいずれかを判定する（ステップ７０２、７０３）。
「配信通知確認」が選択された場合、移動端末の受信部３１がマイクロブログ１１を経由して配信通知の受信処理を行い（ステップ７０４）、ホストシステム２から配信された未確認の通知がある場合は、受信した通知の一覧（通知件名４２の一覧）を表示する（ステップ７０５、７０６）。そして、利用者が表示された受信メールの一覧から確認したい配信通知を選択すると、講義の接続先ＵＲＬ４３への接続確認を促し、確認の入力があった場合、マイクロブログ１１上の該当する講義配信の投稿記事の表示を行う（ステップ７０７、７０８）。
【００２０】
図１０に投稿記事の表示例を示す。表示部の先頭に、配信された講義名１０１が表示され、以降に配信された講義回単位に講義回番号１０２、説明文１０３、映像又は音声データへのリンク１０４、解説題名１０５、保存ボタン１０６を１セットとして講義回の降順（新規配信順）に表示する。映像又は音声データへのリンク１０４は映像又は音声データが存在する場合にのみ活性化し、押下することでインジケータ画面１０８へと画面が切り替わる。インジケータ画面１０８では移動端末３ａ〜３ｎ内の再生部３４を利用して映像又は音声データを再生し、再生終了することで投稿記事の画面へと戻る。
利用者は解説題名１０５に対応する説明文１０３の内容を理解し、映像又は音声データを再生する事で移動端末３ａ〜３ｎ上での学習を行う。
なお、保存ボタン１０６が押下された場合、移動端末３ａ〜３ｎ内の外部記憶装置３２への講義データの保存確認画面１０７が表示される。保存に同意した場合、対応する投稿記事中の解説題名２４＋説明文２５＋映像又は音声データを保存データとして外部記憶装置３２に保存する（ステップ７０９）。なお、未確認の配信通知が無い場合は、「未確認の配信通知がありません」旨のメッセージを表示して７０１の処理に戻る。
【００２１】
「講義データの視聴」が選択された場合、データ処理部３６は外部記憶装置３２に保存されている保存データを読み出し、各保存データの解説題名２４を一覧として表示し（ステップ７１０）、利用者に視聴を希望する講義の選択を促す。解説題名２４の視聴を選択すると、データ処理部は解説題名２４に対応する説明文２５を表示する（ステップ７１１）。更に説明文２５に対する添付データが映像データであるか、音声データであるかを判別し、映像データである場合は表示部への追加表示と音声データである場合は再生部での再生を行う（ステップ７１２、７１３、７１４）。また、解説題名２４の一覧表示の際に視聴モードの設定として「連続視聴」と「リピート視聴」の設定が可能であり、「連続視聴」設定をした場合には外部記憶装置３２に保存された講義データに対して７１２、７１３、７１４の処理を視聴を選択した講義回以降、講義回番号の順に連続で実行する（ステップ７１５）。
「リピート視聴」設定をした場合には選択した講義データに対して繰り返し７１２、７１３、７１４の処理を実行する（ステップ７１６）。
なお、講義データの視聴中は入力部３５からの操作によりいつでも視聴の終了が可能であり、終了した場合は７０１の処理に戻る（ステップ７１７）。
また、「連続視聴」と「リピート視聴」の設定を行なわずに単独で講義データの視聴が完了した場合も同様に７０１の処理に戻る。
【００２２】
図８に図７のステップ７０６で利用される通知一覧表示画面の一例を示す。
通知一覧表示上には新規に受信した通知であるかを示す新着フラグ８１、通知データを移動端末が受信した日時を示す通知日付８２、受信した通知データ上の通知件名４２を表示する通知件名８３、画面上でのクリックなどの選択に応じて通知データ上の講義の接続先ＵＲＬ４３を通じてマイクロブログ１１へとアクセスする講義接続ボタン８４で構成されている。
新着フラグ８１は講義接続ボタン８４を選択しない限りは「新着」のメッセージが表示され続ける。また、通知一覧は通知日付８２の新しい日付から順に表示される。
【００２３】
図９に図７のステップ７１０で利用される解説題目一覧表示画面の一例を示す。
解説題目一覧表示上には講義データの視聴設定を行なう視聴設定９１、講義データを移動端末３ａ〜３ｎ上の外部記憶装置３２に保存した日時を示す保存日付９２、講義データ上の解説題名２４を表示する解説題名９３、画面上でのクリックなどの選択に応じて保存データ上の説明文の表示と映像又は音声データの表示・再生処理を呼び出す視聴ボタン９４で構成されている。
視聴画面９５は解説題目一覧で選択した講義の解説題名９５１、講義の説明文９５２、講義に対応する映像又は音声データがある場合にデータの再生状況を表示・操作するインジケータ９５３で構成されている。
また、視聴設定９１は図７のステップ７１５の判定と実行に必要な連続視聴設定９１１とステップ７１６の判定と実行に必要なリピート視聴設定９１２から成り、初期表示の状態ではいずれも設定が未選択の状態である。設定が選択されるとステップ７１５又は７１６での判定が有効となり、一覧表示画面の終了時に設定内容は保存される。
視聴ボタン９４押下時に表示部が視聴画面９５へと画面が切り替わった際に、保存されている視聴設定に基づいた映像・音声データの自動再生が行われる。なお、視聴終了した後に再度一覧表示を行った場合は、視聴終了時と同じ設定の状態で初期表示される。
【００２４】
以上のように、本実施の形態の講義配信システムによれば、次のような効果がある。
（１）講義情報は用語説明や一問一答の解説を主とした簡易説明文と、説明文に相当又は内容を補足する映像又は音声のデータで構成する為、講義開始後は利用者の講義に対して手作業や口頭による応答操作（回答選択、質疑応答）を行なうことなく学習が可能である。
（２）ホストシステム２と移動端末３ａ〜３ｎとの間を無線回線によって接続しているため、無線回線の有効範囲内で資格試験の学習に必要な講義情報を屋内・屋外における場所と時間の制約を受けることなく得る事ができる。
（３）講義情報をマイクロブログ１１への投稿としてホストシステム２から配信する為、移動端末３ａ〜３ｎはホストシステム２と移動端末間の接続及び同期処理について回線の混雑状況を考慮することなく、講義を受ける事ができる。
（４）講義情報はデータとして移動端末３ａ〜３ｎ上の外部記憶装置３２に保存される為、同一講義の再受講にあたって無線回線への再接続を行なうことなく再受講する事ができる。
（５）新規講義の配信にあたって、マイクロブログのアカウントを利用した通知を行なう為、配信側は告知のためのＷｅｂサイトの構築や、電子メールなどの連絡手段についてマイクロブログ１１以外のインフラ設備へ投資をせずに配信通知を行うことが出来る。
なお、上記実施例においては、ホストシステム２と移動端末３ａ〜３ｎとを無線回線で接続する例を挙げて説明したが、有線回線で接続されるものであっても同様に適用できる。また、本実施の形態においては移動端末と無線回線の例として携帯電話を例に挙げているがその他スマートフォンやノートＰＣなどのモバイル端末においても適用可能であり、学習対象の資格試験についても漢字検定や英語検定など種別を問わないものとする。
【符号の説明】
【００２５】
１…講義データベース
２…ホストシステム
３ａ，３ｂ，３ｎ…移動端末
４…基地局
５…ネットワーク
６…利用者データベース
７…ＤＢ更新部
８…検索処理部
９…生成部
１０…配信部
１１…マイクロブログ
２８…位置識別情報
３１…受信部
３２…外部記憶装置
３３…表示部
３４…再生部
３５…入力部
３６…データ処理部
【図１】
0005717558.tif 000002
【図２】
0005717558.tif 000003
【図３】
0005717558.tif 000004
【図４】
0005717558.tif 000005
【図５】
0005717558.tif 000006
【図６】
0005717558.tif 000007
【図７】
0005717558.tif 000008
【図８】
0005717558.tif 000009
【図９】
0005717558.tif 000010
【図１０】
0005717558.tif 000011